(57)【要約】      （修正有）【課題】エクスプレスエクスプレスカードを収容でき、導電端子を定位させたカード用コネクタを提供すること。【解決手段】カード用コネクタ１は、絶縁本体２１と、接触部と半田部を有する複数の導電端子２１１と、複数の導電部が設けられる転換板７と、絶縁本体と転換板の間に位置し、両端に設けられる一対の定位柱６５を有する定位要素と、転換板を電気接続する転換コネクタ８と、を備える。前記導電端子の半田部が定位要素に定位された後転換板の導電部に挿入された前記定位要素の定位柱は、一端が絶縁本体に係合され、他端が転換板に係合される。【選択図】図４
0003117828.tif 000002
【実用新案登録請求の範囲】
【請求項１】
カード用コネクタにおいて、該カード用コネクタは、 
絶縁本体と、
接触部と半田部を有する複数の導電端子と、
複数の導電部が設けられる転換板と、
絶縁本体と転換板の間に位置し、両端に設けられる一対の定位柱を有する定位要素と、
転換板を電気接続する転換コネクタと、を備え、
前記導電端子の半田部が定位要素に定位された後転換板の導電部に挿入された、前記定位要素の定位柱は、一端が絶縁本体に係合され、他端が転換板に係合されることを特徴とするカード用コネクタ。
【請求項２】
前記転換板の両側には、定位板の定位柱を収容する一対の定位孔が形成されることを特徴とする、請求項１に記載のカード用コネクタ。
【請求項３】
前記絶縁本体両端には、前記定位板の定位柱を係合する一対の導入孔が形成される一対の第１突出部が設置されることを特徴とする、請求項１に記載のカード用コネクタ。
【請求項４】
前記絶縁本体の第１突出部の後面には、転換板の両端が嵌め込まれる一対の定位槽が形成されることを特徴とする、請求項３に記載のカード用コネクタ。
【請求項５】
カード用コネクタは、更に框体とセパレーターを有し、
前記絶縁本体と框体は互いに重なり、
前記セパレーターは、互いに重なった絶縁本体と框体の間に挿入され、カードを収容する二つの収容空間が画成されることを特徴とする、請求項１に記載のカード用コネクタ。
【請求項６】
前記二つの収容空間の少なくとも一つの収容空間には、エクスプレスカードを収容できることを特徴とする、請求項５に記載のカード用コネクタ。
【請求項７】
前記絶縁本体には、エクスプレスカードを導入する導入部が設置されることを特徴とする、請求項６に記載のカード用コネクタ。
【請求項８】
前記導電端子は、
半田部が絶縁本体から外向きに延在する第１導電端子と、
半田部が框体から外向きに延在する第２導電端子と、を有することを特徴とする、請求項６に記載のカード用コネクタ。
【請求項９】
前記框体には、第２導電端子を挿入する挿入槽が形成されることを特徴とする、請求項８に記載のカード用コネクタ。
【請求項１０】
前記絶縁本体には、第２導電端子を収容する保持部が設置されることを特徴とする、請求項８に記載のカード用コネクタ。
【考案の詳細な説明】
【技術分野】
【０００１】
本考案はカード用コネクタに関し、転換装置によって、少なくとも一つのエクスプレス(Express)カードを収容するカード用コネクタに関する。
【背景技術】
【０００２】
カード用コネクタの発展に従って、従来のＰＣカードの代わりに、一種の小型化、軽量化されたエクスプレスカードが製作されている。該エクスプレスカードは、ＰＣカードに比べ、損耗を減少させ、提供されるデータを増加させる。同時に、エクスプレスカードに対応するエクスプレスカードコネクタは、急速に発展している。
【０００３】
一種のカード用コネクタは、絶縁本体と、導電端子と、転換端子を有する転換板と、回路基板に半田付けされる転換コネクタと、を備える。導電端子は、絶縁本体に収容され、一端が、絶縁本体から外向きに延在し、転換板に挿入され、転換板の転換端子の一端を電気接続する。転換板は、転換コネクタに挿入され、転換端子の他端が、絶縁本体に収容される導電端子の他端を電気接続する。転換コネクタは、導電端子で、回路基板に半田付けされる。これにより、カード用コネクタは、回路基板に電気接続され、信号伝送を達成する。こうした電気コネクタ組立体の構造は従来技術文献に記載されている（例えば、特許文献１参照）。
【特許文献１】米国特許第５，９５４，５２２号明細書
【０００４】
導電端子は、絶縁本体から外向きに延在してまっすぐに転換板に挿入される。これにより、転換板は、転換コネクタに挿入される前に、導電端子を定位させないことによって、正確に転換コネクタに挿入することができない。そのため、転換板と転換コネクタの間の電気接続を確保できなくて、良好な信号伝送を達成できない。
【０００５】
従って、本考案は前記の欠点を克服するために一種の新たなカード用コネクタを構成する。
【考案の開示】
【考案が解決しようとする課題】
【０００６】
本考案の目的は、こうした従来の問題点を解決したカード用コネクタを提供することである。すなわち、従来技術とは異なり、エクスプレスカードを収容でき、導電端子を定位させたカード用コネクタが得られるようにする。
【課題を解決するための手段】
【０００７】
本考案はカード用コネクタに関し、該カード用コネクタは、絶縁本体と、接触部と半田部を有する複数の導電端子と、複数の導電部が設けられる転換板と、絶縁本体と転換板の間に位置し、両端に設けられる一対の定位柱を有する定位要素と、転換板を電気接続する転換コネクタと、を備える。前記導電端子の半田部が定位要素に定位された後転換板の導電部に挿入された前記定位要素の定位柱は、一端が絶縁本体に係合され、他端が転換板に係合される。
【考案の効果】
【０００８】
従来技術に比べ、本考案は以下の長所がある。本考案のエクスプレスカードを収容できるカード用コネクタの導電端子は、転換板に挿入される前に、定位要素で定位されることによって、正確に転換板と転換コネクタに挿入することができる。そのため、転換板は、正確に転換コネクタに挿入することができ、転換板と転換コネクタの間の電気接続を確保できるとともに、良好な信号伝送を達成できる。
【考案を実施するための最良の形態】
【０００９】
図１及び図２において、カード用コネクタ１は、絶縁本体２１と、框体２２と、複数の第１導電端子２１１と、複数の第２導電端子２２２と、定位要素６と、転換板７と、転換コネクタ８及びハウジング３と、を備える。本実施例において、絶縁本体２１は、エクスプレスカードを収容するために用いる。第１導電端子２１１は、エクスプレスカードと接触する。定位要素６は、定位板である。
【００１０】
図１乃至図４に示すように、絶縁本体２１は、本体部２１４と、該本体部２１４の底部に位置し、台形の第１導入部２１２ａと、本体部２１４の上面に位置する台形の第２導入部２１２ｂと、保持部２１８と、を具備する。本体部２１４の両端には、一対の第１突出部２１５が、後端から後向きに突出する。各第１突出部２１５には、第１凹部２１６と導入孔２１５２が形成される。各第１突出部２１５の前には、凹槽２１７か形成される。各第１突出部２１５の後面には、定位槽２１９か形成される。保持部２１８は、一端が凹槽２１７の中間に嵌め込まれ、他端が前へ突出する。複数の凸状部片２１５１は、絶縁本体２１の両側に設けられる。
【００１１】
絶縁本体２１には、本体部２１４の底部に位置する第２排出部２２０と、前端に固着される一対の導入槽２１３と、カード排出機構５と、が装入される。導入槽２１３には、複数の係合片２１３１が設けられる。カード排出機構５は、第１レバー５０と、第２レバー５１と、第１排出部５２と、を備える。第２レバー５１は、一端が第１レバー５０の後端に連接し、他端が本体部２１４の第２排出部２２０を覆う第１排出部５２に係合される。
【００１２】
框体２２は、後端に対称に設置される一対の片状体２２５と、第１突出部２１５に対応する一対の第２突出部２２３と、各突出部２２３に形成される第２凹部２２４と、を有する。各片状体２２５には、矩形槽２２７が形成れる。一対の第２突出部２２３の間に、挿入槽２２６が形成される。
【００１３】
セパレーター４は、絶縁本体２１と框体２２の間に設置される。セパレーター４の後端の中間には、開口４１が形成される。開口４１の両側には、セパレーター４の後端から後向きに突出する一対の凸片４２が対称に設けられる。
【００１４】
第１、第２導電端子２１１，２２２は、それぞれ、第１接触部２１１１、第１半田部２１１２と、第２接触部２２２１、第２半田部２２２２と、を有する。
【００１５】
実質的に矩形のハウジング３の前端には、前記導入槽２１３の複数の係合片２１３１に係合する複数のスロット３２が形成される。ハウジング３の後端には、絶縁本体２１の凸状部片２１５１に係合する係合部３１が設置される。
【００１６】
図４に示すように、定位板６は、両側から前向きに突出する一対のフランジ６１と、両端から後向きに延出する一対の定位柱６５と、を有する。定位板６の上部には、複数の第１導電端子２１１に対応する複数の第１端子槽６２が形成される。第１端子槽６２の下部には、複数の第２導電端子２２２に対応する複数の第２端子槽６３が形成される。定位板６の底部には、狭槽６４が形成される。
【００１７】
転換板７には、定位板６の第１及び第２端子槽６２、６３に対応する第１及び第２導電部７１、７２が設置される。転換板７の両端には、定位柱６５を対応する一対の定位孔７３が形成される。転換板７の底部には、下向きに延在し、第１及び第２導電部７１、７２を電気接続する第１転換端子（図示せず）を設けた挿入部７４が設置される。
【００１８】
転換コネクタ８は、第２転換端子８３を挿入する収容槽８２が形成される主体部８１を有する。該第２転換端子８３は、収容槽８２に収容される接触部（図示せず）と、回路基板（図示せず）に半田付けされる半田脚８４と、を有する。
【００１９】
図１乃至図６に示すように、該カード用コネクタ１を取り付ける時、先ず、第１導電端子２１１を絶縁本体２１に挿入する。第１導電端子２１１の第１半田部２１１２が、絶縁本体２１の本体部２１４から外向きに延在する。框体２２は、絶縁本体２１の上部に取り付けられる。その状態で、絶縁本体２１と框体２２は互いに重なる。框体２２の一対の片状体２２５が、保持部２１８の両側に位置する凹槽２１７に嵌め込まれる。セパレーター４は、框体２２と絶縁本体２１の間に挿入される。これにより、該保持部２１８は、絶縁本体２１とセパレーター４の間に位置し、セパレーター４の開口４１に嵌め込まれる。セパレーター４の凸片４２が、框体２２の矩形槽２２７に嵌め込まれる。第２導電端子２２２は、框体２２の挿入槽２２６から保持部２１８に挿入され、第２半田部２２２２が外向きに延在する。セパレーター４で隔てられる第１絶縁本体２１と框体２２は、第１及び第２凹部２１６、２２４に嵌め込まれるピン（図示せず）で固着される。ハウジング３は、凸状部片２１５１と係合部３１に係合することによって絶縁本体２１に固着される。
【００２０】
互いに重なった絶縁本体２１と框体２２の間には、セパレーター４で隔てられることによって、かードを収容する二つの収容空間が画成される。中でも、框体２２とセパレーター４の間の空間には、スマートカードを収容する収容空間（図示せず）が画成される。又、エクスプレスカードを収容する収容空間（図示せず）は、絶縁本体２１と、セパレーター４と、ハウジング３と、から形成される。第１導電端子２１１の第１接触部２１１１が、エクスプレスカードを収容する空間に向かって突出する。第１導入部２１２ａは、エクスプレスカードを収容する収容空間に向かって延在する。使用したらば、エクスプレスカードは、第１導入部２１２ａに沿って、エクスプレスカードを収容する収容空間に挿入され、第１導電端子２１１の第１接触部２１１１と接触する。第２導電端子２２２の第２接触部２２２１が、スマートカードを収容する収容空間に向かって突出する。第２導入部２１２ｂは、スマートカードを収容する収容空間に向かって延在する。スマート(Smart)カードは、第２導入部２１２ｂに沿って、スマートカードを収容する収容スペースに挿入され、第２導電端子２２２の第２接触部２２２１と接触する。
【００２１】
次に、板状の定位板６と、転換板７と、転換コネクタ８と、を順番に絶縁本体２１に取り付ける。定位板６を、第１及び第２突出部２１５、２２３の間に嵌め込む。一対のフランジ６１は、第１及び第２突出部２１５、２２３の内側面に係合する。定位板６の一対の定位柱６５は、絶縁本体２１の一対の導入孔２１５２に係合する。複数の第１及び第２導電端子２１１、２２２は、外向きに延在する第１及び第２半田部２１１２、２２２２は、それぞれ、第１、第２端子槽６２、６３を通り越す。そのため、第１及び第２導電端子２１１、２２２は、転換板７に挿入しない時、定位板６を通り越すことによって定位される。転換板７は、両端が絶縁本体２１の定位槽２１９に嵌め込まれる。定位板６の定位柱６５は、対応する定位孔７３に収容される。第１及び第２端子槽６２、６３を通り越した第１、第２導電端子２１１、２２２は、第１、第２導電部７１、７２に挿入され、転換板７の第１転換端子に電気接続される。その後、転換板７の挿入部７４を収容槽８２に挿入する。その状態で、第１転換端子は、第２転換端子８３に電気接続される。第２転換端子８３は、第１転換端子によって、第１及び第２導電端子２１１、２２２に電気接続される。該カード用コネクタ１と回路基板の電気接続を達成する。
【００２２】
総じて、本考案の多数の特徴及び長所など、その構造及び機能が共に前述の記載により掲げられている。また前記の説明は、本考案に基づきなし得る細部の修正或は変更など、いずれも本考案の請求範囲に属するものである。
【産業上の利用可能性】
【００２３】
本考案はカード用コネクタに関し、特に、エクスプレスカードを収容でき、導電端子を定位させたカード用コネクタに関する。
【図面の簡単な説明】
【００２４】
【図１】本考案のカード用コネクタの一部分の分解斜視図である。
【図２】本考案のカード用コネクタの他の部分の分解斜視図である。
【図３】本考案のカード用コネクタの部分の組立斜視図である。
【図４】本考案のカード用コネクタの他の部分の組立斜視図である。
【図５】本考案の転換コネクタが取り付けられないカード用コネクタの組立斜視図である。
【図６】本考案のカード用コネクタの組立斜視図である。
【符号の説明】
【００２５】
１  カード用コネクタ
３  ハウジング
４  セパレーター
５  カード排出機構
６  定位板
７  転換板
８  転換コネクタ
２１  絶縁本体
２２  框体
３１  係合部
３２  スロット
４１  開口
４２  凸片
５０  第１レバー
５１  第２レバー
５２  第１排出部
６１  フランジ
６２  第１端子槽
６３  第２端子槽
６４  狭槽
６５  定位柱
７１  第１導電部
７２  第２導電部
７３  定位孔
７４  挿入部
８１  主体部
８２  収容槽
８３  第２転換端子
８４  半田脚
２１１  第１導電端子
２１２ａ  第１導入部
２１２ｂ  第２導入部
２１３  導入槽
２１４  本体部
２１５  第１突出部
２１６  第１凹部
２１７  凹槽
２１８  保持部
２１９  定位槽
２２０  第２排出部
２２１  保持部
２２２  第２導電端子
２２３  第２突出部
２２４  第２凹部
２２５  片状体
２２６  挿入槽
２２７  矩形槽
２１１１  第１接触部
２２２１  第２接触部
２１１２  第１半田部
２１３１  係合片
２１５１  凸状部片
２１５２  導入孔
２２２２  第２半田部
【図１】
0003117828.tif 000003
【図２】
0003117828.tif 000004
【図３】
0003117828.tif 000005
【図４】
0003117828.tif 000006
【図５】
0003117828.tif 000007
【図６】
0003117828.tif 000008